(57)【要約】【課題】外部より操作力を入力する操作部を、見やすく操作しやすい位置に配置させることを可能とし、揚送ベルトの蛇行の調整操作を容易に行うことができる遊技球揚送研磨装置を提供する。【解決手段】揚送ベルト２５の途中の裏面に圧接する状態で配される蛇行調整ローラ１１０と、該蛇行調整ローラ１１０を回転可能に支持するローラ支持部１１２とを備え、ローラ支持部１１２は、蛇行調整ローラ１１０の左端側を支点として右端側を上下に傾斜調整可能に支持し、上下に延びる調整用ネジ１３３の回転により蛇行調整ローラ１１０の他端側を上下に傾斜調整するものであり、調整用ネジ１３３を回転させる操作力を外部より入力する操作部１５０の操作ツマミ１５３を、調整用ネジ１３３の軸方向と略直角に交わる軸線上に配置した。【選択図】図１
2005021193.tif 000002
【特許請求の範囲】
【請求項１】
立設フレームの上下端にそれぞれ設けた上部ローラと下部ローラとの間に掛け渡した無端環状の揚送ベルトを周回させると共に、前面側に研磨布を張設したガイドレールを前記揚送ベルトの上昇面と対面配置し、下部の導入口から流入する遊技球を前記研磨布と前記揚送ベルトとで挾持して、上部の排出口まで研磨しつつ揚送する遊技球揚送研磨装置に装備され、前記各ローラに対する前記揚送ベルトの蛇行を調整するための蛇行調整機構において、
前記揚送ベルトの途中の裏面に圧接する状態で配される蛇行調整ローラと、該蛇行調整ローラを回転可能に支持するローラ支持部とを備え、
前記ローラ支持部は、前記蛇行調整ローラの一端側を支点として他端側を上下に傾斜調整可能に支持し、上下に延びる調整用ネジの回転により前記蛇行調整ローラの他端側を上下に傾斜調整するものであり、
前記調整用ネジを回転させる操作力を外部より入力する操作部を、前記調整用ネジの軸方向と任意の角度で交わる軸線上に配置したことを特徴とする蛇行調整機構。
【請求項２】
前記操作部を、前記調整用ネジの軸方向に対して略直角に交わると共に、前記揚送ベルトの上昇面と平行な面に対して略垂直となる軸線上に配置したことを特徴とする請求項１に記載の蛇行調整機構。
【請求項３】
前記操作部に入力される操作力を、減速手段を介して前記調整用ネジに伝達するように設定したことを特徴とする請求項１または２に記載の蛇行調整機構。
【請求項４】
前記調整用ネジの一端側にウォーム歯車を固結し、該ウォーム歯車に噛合するウォームに固結した回転軸の一端側に、該回転軸を回転操作するための操作ツマミを固結して、前記操作部としたことを特徴とする請求項１，２または３に記載の蛇行調整機構。
【請求項５】
前記ローラ支持部は、前記蛇行調整ローラを回転可能に軸支するローラ軸と、該ローラ軸の一端を支持する第１支持部と、前記ローラ軸の他端を支持する第２支持部とを有し、
前記第１支持部は、前記ローラ軸の一端を、該一端を支点に前記ローラ軸の他端が上下に傾動可能に支持するものであり、
前記第２支持部は、前記立設フレームに固定された支持枠と、該支持枠内にて所定範囲で移動可能に配される移動ブロックと、前記ウォーム歯車を一端に固結した前記調整用ネジと、同じく一端に操作ハンドルを固結した締結用ネジとを有し、
前記移動ブロックには、所定方向に貫通した第１ネジ孔と、該第１ネジ孔とねじれの位置で略直交するように貫通した第２ネジ孔とが形成してあり、
前記支持枠は、調整用ネジ支持部と、側壁部と、この側壁部に穿設された長孔とから成り、
前記側壁部はその表側が、前記ローラ軸の他端側において該ローラ軸の周面と当接するように立設されており、
前記調整用ネジ支持部は、前記移動ブロックの前記第２ネジ孔の存する一側面が前記側壁部の裏側に当接する状態で、前記移動ブロックの第１ネジ孔に螺合された前記調整用ネジをその軸方向を縦にして一定箇所で回転可能に支持し、
前記側壁部の長孔は、前記調整用ネジの回転に応じて、前記移動ブロックがネジ送りされて上下動する際にできる前記第２ネジ孔の移動軌跡に対応するように縦長に穿設されており、
前記ローラ軸の他端側には、前記側壁部の表側壁面に対して垂直方向に前記ローラ軸を貫通する挿通孔が、前記支点を中心に前記ローラ軸を上下に傾動させた際に、前記側壁部の長孔と連通し得るように横長に形成されており、
前記締結用ネジは、前記ローラ軸の他端側に形成された前記挿通孔および前記側壁部の長孔を通って、前記移動ブロックの前記第２ネジ孔に螺合し、該締結用ネジの緩締によって、前記移動ブロックと前記操作ハンドルとの間に前記ローラ軸と前記側壁部とを挾持して、前記移動ブロックの上下動を抑止した止着状態と、前記上下動が可能な緩状態とに切り替えるものであることを特徴とする請求項４に記載の蛇行調整機構。
【請求項６】
前記蛇行調整ローラを、中央から左右両端に向かって外径が次第に小さくなる樽型に形成したことを特徴とする請求項１，２，３，４または５に記載の蛇行調整機構。
【請求項７】
前記蛇行調整ローラを、前記揚送ベルトを外側から押圧するセット状態と、前記支点となる側の端部を中心に手前に回転した解除状態とに変位可能に支持したことを特徴とする請求項１，２，３，４，５または６に記載の蛇行調整機構。
【請求項８】
前記請求項１，２，３，４，５，６または７に記載の蛇行調整機構を具備した遊技球揚送研磨装置。
【発明の詳細な説明】
【０００１】
【発明の属する技術分野】
本発明は、立設フレームの上下端にそれぞれ設けた上部ローラと下部ローラとの間に掛け渡した無端環状の揚送ベルトを周回させると共に、前面側に研磨布を張設したガイドレールを前記揚送ベルトの上昇面と対面配置し、下部の導入口から流入する遊技球を前記研磨布と前記揚送ベルトとで挾持して、上部の排出口まで研磨しつつ揚送する遊技球揚送研磨装置、およびこれに装備される蛇行調整機構に関する。
【０００２】
【従来の技術】
従来、パチンコ球等の遊技球をパチンコ島の下部から上部へ揚送する装置としては、帯状の研磨布を用いて遊技球を研磨しながら上部へ揚送する遊技球揚送研磨装置が知られている。この種の遊技球揚送研磨装置では、立設したフレームの下端に駆動ローラを、上端に従動ローラを備え、両ローラの間に無端環状の揚送ベルトを掛けて張り、駆動ローラを回転させることによって揚送ベルトを周回させている。
【０００３】
そして、揚送ベルトの上昇面に対面するように、帯状の研磨布が前面に架設されたガイドレールを設置し、揚送ベルトと背面がガイドレールで支持された研磨布との間で遊技球を挟持することにより、遊技球を研磨しながら上部へ揚送するように構成されている。
【０００４】
このような遊技球揚送研磨装置を長時間稼働すると、徐々に進む揚送ベルトの偏摩耗によって、揚送ベルトの中心が各ローラの中心から徐々にずれて蛇行したり、あるいは揚送ベルトのセット時に、各ローラの中心から元々ずれた状態で掛け渡してしまうようなこともあり、何れの場合にせよ揚送ベルトが蛇行した状態を放置すると、揚送ベルトの周回に伴い遊技球を正常に揚送することができない事態が生じる。
【０００５】
かかる揚送ベルトの蛇行を解消し得るような技術として、本出願人は既に、特許文献１に開示されたように、揚送ベルトの蛇行を調整するための蛇行調整機構を備えた遊技球揚送研磨装置を提案した。この蛇行調整機構は、蛇行調整ローラを、その一端側を支点として他端側を上下に傾斜調整可能に支持し、該蛇行調整ローラの他端側の移動方向と一致して上下に延びた入力軸の上端にそのまま操作ツマミを設け、この操作ツマミの回転操作により、揚送ベルトに対する蛇行調整ローラの相対的な位置を変化させることで蛇行を調整できるようになっていた。
【０００６】
【特許文献１】
特開２００１−１２０８２８号公報
【０００７】
【発明が解決しようとする課題】
しかしながら、前述したような従来の技術では、蛇行調整ローラの他端側で上下に延びた入力軸の上端に操作ツマミが直接設けられているので、操作ツマミを操作するには、遊技機島の正面にある島点検口等から島内部に手を入れて、遊技球揚送研磨装置の傍らで上方を向いている操作ツマミまで手を回すようにして操作しなければならず、操作しづらいと共に回転させるべき方向も分かり辛く、その改善策が切望されていた。
【０００８】
また、操作ツマミの回転させる操作力が、そのまま直接的に蛇行調整ローラの他端側を上下動させるための動力として働くため、微調整が困難であり、その分調整に熟練を要する結果となり、操作ツマミを万一誤って過度に回転させてしまうと、揚送ベルトを損傷させてしまうような虞があるので、かかる虞を解消するための工夫も切望されていた。
【０００９】
本発明は、以上のような従来技術が有する問題点に着目してなされたもので、外部より操作力を入力する操作部を、見やすく操作しやすい位置に配置させることを可能とし、揚送ベルトの蛇行の調整操作を容易に行うことができるようにすると共に、蛇行の調整における微調整を可能とし、操作部を不用意に過度に操作してしまった場合でも、揚送ベルトを損傷させてしまうような虞がない蛇行調整機構、およびこれを装備した遊技球揚送研磨装置を提供することを目的としている。
【００１０】
【課題を解決するための手段】
前述した目的を達成するための本発明の要旨とするところは、次の各項の発明に存する。
［１］立設フレーム（２２）の上下端にそれぞれ設けた上部ローラ（２３）と下部ローラ（２４）との間に掛け渡した無端環状の揚送ベルト（２５）を周回させると共に、前面側に研磨布（９０）を張設したガイドレール（５１）を前記揚送ベルト（２５）の上昇面と対面配置し、下部の導入口（３１）から流入する遊技球を前記研磨布（９０）と前記揚送ベルト（２５）とで挾持して、上部の排出口（３２）まで研磨しつつ揚送する遊技球揚送研磨装置（１０）に装備され、前記各ローラに対する前記揚送ベルト（２５）の蛇行を調整するための蛇行調整機構（１００）において、
前記揚送ベルト（２５）の途中の裏面に圧接する状態で配される蛇行調整ローラ（１１０）と、該蛇行調整ローラ（１１０）を回転可能に支持するローラ支持部（１１２）とを備え、
前記ローラ支持部（１１２）は、前記蛇行調整ローラ（１１０）の一端側を支点として他端側を上下に傾斜調整可能に支持し、上下に延びる調整用ネジ（１３３）の回転により前記蛇行調整ローラ（１１０）の他端側を上下に傾斜調整するものであり、
前記調整用ネジ（１３３）を回転させる操作力を外部より入力する操作部（１５０）を、前記調整用ネジ（１３３）の軸方向と任意の角度で交わる軸線上に配置したことを特徴とする蛇行調整機構（１００）。
【００１１】
［２］前記操作部（１５０）を、前記調整用ネジ（１３３）の軸方向に対して略直角に交わると共に、前記揚送ベルト（２５）の上昇面と平行な面に対して略垂直となる軸線上に配置したことを特徴とする［１］に記載の蛇行調整機構（１００）。
【００１２】
［３］前記操作部（１５０）に入力される操作力を、減速手段（１３４，１５１）を介して前記調整用ネジ（１３３）に伝達するように設定したことを特徴とする［１］または［２］に記載の蛇行調整機構（１００）。
【００１３】
［４］前記調整用ネジ（１３３）の一端側にウォーム歯車（１３４）を固結し、該ウォーム歯車（１３４）に噛合するウォーム（１５１）に固結した回転軸（１５２）の一端側に、該回転軸（１５２）を回転操作するための操作ツマミ（１５３）を固結して、前記操作部（１５０）としたことを特徴とする［１］，［２］または［３］に記載の蛇行調整機構（１００）。
【００１４】
［５］前記ローラ支持部（１１２）は、前記蛇行調整ローラ（１１０）を回転可能に軸支するローラ軸（１１１）と、該ローラ軸（１１１）の一端を支持する第１支持部（１２０）と、前記ローラ軸（１１１）の他端を支持する第２支持部（１３０）とを有し、
前記第１支持部（１２０）は、前記ローラ軸（１１１）の一端を、該一端を支点に前記ローラ軸（１１１）の他端が上下に傾動可能に支持するものであり、
前記第２支持部（１３０）は、前記立設フレーム（２２）に固定された支持枠（１３１）と、該支持枠（１３１）内にて所定範囲で移動可能に配される移動ブロック（１３２）と、前記ウォーム歯車（１３４）を一端に固結した前記調整用ネジ（１３３）と、同じく一端に操作ハンドル（１３６）を固結した締結用ネジ（１３５）とを有し、
前記移動ブロック（１３２）には、所定方向に貫通した第１ネジ孔（１３２ａ）と、該第１ネジ孔（１３２ａ）とねじれの位置で略直交するように貫通した第２ネジ孔（１３２ｂ）とが形成してあり、
前記支持枠（１３１）は、調整用ネジ支持部（１３１ｂ）と、側壁部（１３１ａ）と、この側壁部（１３１ａ）に穿設された長孔（１３１ｃ）とから成り、
前記側壁部（１３１ａ）はその表側が、前記ローラ軸（１１１）の他端側において該ローラ軸（１１１）の周面と当接するように立設されており、
前記調整用ネジ支持部（１３１ｂ）は、前記移動ブロック（１３２）の前記第２ネジ孔（１３２ｂ）の存する一側面が前記側壁部（１３１ａ）の裏側に当接する状態で、前記移動ブロック（１３２）の第１ネジ孔（１３２ａ）に螺合された前記調整用ネジ（１３３）をその軸方向を縦にして一定箇所で回転可能に支持し、
前記側壁部（１３１ａ）の長孔（１３１ｃ）は、前記調整用ネジ（１３３）の回転に応じて、前記移動ブロック（１３２）がネジ送りされて上下動する際にできる前記第２ネジ孔（１３２ｂ）の移動軌跡に対応するように縦長に穿設されており、
前記ローラ軸（１１１）の他端側には、前記側壁部（１３１ａ）の表側壁面に対して垂直方向に前記ローラ軸（１１１）を貫通する挿通孔（１１１ｃ）が、前記支点を中心に前記ローラ軸（１１１）を上下に傾動させた際に、前記側壁部（１３１ａ）の長孔（１３１ｃ）と連通し得るように横長に形成されており、
前記締結用ネジ（１３５）は、前記ローラ軸（１１１）の他端側に形成された前記挿通孔（１１１ｃ）および前記側壁部（１３１ａ）の長孔（１３１ｃ）を通って、前記移動ブロック（１３２）の前記第２ネジ孔（１３２ｂ）に螺合し、該締結用ネジ（１３５）の緩締によって、前記移動ブロック（１３２）と前記操作ハンドル（１３６）との間に前記ローラ軸（１１１）と前記側壁部（１３１ａ）とを挾持して、前記移動ブロック（１３２）の上下動を抑止した止着状態と、前記上下動が可能な緩状態とに切り替えるものであることを特徴とする［４］に記載の蛇行調整機構（１００）。
【００１５】
［６］前記蛇行調整ローラ（１１０）を、中央から左右両端に向かって外径が次第に小さくなる樽型に形成したことを特徴とする［１］，［２］，［３］，［４］または［５］に記載の蛇行調整機構（１００）。
【００１６】
［７］前記蛇行調整ローラ（１１０）を、前記揚送ベルト（２５）を外側から押圧するセット状態と、前記支点となる側の端部を中心に手前に回転した解除状態とに変位可能に支持したことを特徴とする［１］，［２］，［３］，［４］，［５］または［６］に記載の蛇行調整機構（１００）。
【００１７】
［８］前記［１］，［２］，［３］，［４］，［５］，［６］または［７］に記載の蛇行調整機構（１００）を具備した遊技球揚送研磨装置（１０）。
【００１８】
前記本発明は次のように作用する。
前記［１］に記載の蛇行調整機構（１００）によれば、蛇行調整ローラ（１１０）を、揚送ベルト（２５）の途中の裏面に圧接する状態で配し、この蛇行調整ローラ（１１０）をローラ支持部（１１２）により回転可能に支持するが、ローラ支持部（１１２）は、蛇行調整ローラ（１１０）の一端側を支点として他端側を上下に傾斜調整可能に支持し、上下に延びる調整用ネジ（１３３）の回転により、蛇行調整ローラ（１１０）の他端側を上下に傾斜調整することができる。
【００１９】
ここで調整用ネジ（１３３）を回転させる操作力を外部より入力する操作部（１５０）を、調整用ネジ（１３３）の一端側に直接設けることはせず、例えば操作部（１５０）と調整用ネジ（１３３）との間に適当な動力伝達機構等を介在させることで、操作部（１５０）を調整用ネジ（１３３）の軸方向と任意の角度で交わる軸線上に配置する。それにより、手動により操作する操作部（１５０）を、調整用ネジ（１３３）の軸線上で上下を向くような操作しづらい限定された位置ではなく、遊技球揚送研磨装置（１０）の正面あるいは背面に向かって延びるような操作し易い位置に適宜設けることが可能となる。
【００２０】
操作部（１５０）から力を入力すると、その操作力が調整用ネジ（１３３）を回転させるように伝達され、該調整用ネジ（１３３）の回転に伴って蛇行調整ローラ（１１０）はその一端側を支点として他端側が上下に傾斜調整される。それにより、揚送ベルト（２５）に対する蛇行調整ローラ（１１０）の相対的な位置を変化させることで、揚送ベルト（２５）の中心が各ローラの中心に一致するように蛇行を調整することができる。なお、蛇行調整ローラ（１１０）の一端側を支点としてローラ軸（１１１）の傾斜を調整するので、両端を位置調整させるような調整機構を持つ場合に比べて構造が簡略化される。
【００２１】
操作部（１５０）の具体的な配置位置としては、例えば前記［２］に記載したように、操作部（１５０）を、前記調整用ネジ（１３３）の軸方向に対して略直角に交わると共に、前記揚送ベルト（２５）の上昇面と平行な面に対して略垂直となる軸線上に配置すれば、遊技球揚送研磨装置（１０）を設置した遊技機島において、通常は島正面（あるいは背面）に向かって対向する位置となるので、島正面に設ける点検口等から操作部（１５０）を真っ正面に覗いたり、容易に掴んで操作することができる。
【００２２】
また、前記［３］に記載したように、前記操作部（１５０）に入力される操作力を、減速手段（１３４，１５１）を介して前記調整用ネジ（１３３）に伝達するように設定すれば、操作部（１５０）における回転速度は減速手段（１３４，１５１）により減少されて調整用ネジ（１３３）に伝達されるので、蛇行調整ローラ（１１０）の傾斜調整における微調整が可能となり、そのため調整操作に熟練を要することもなく誰でも簡単に細かな調整が可能となり、また操作部（１５０）を万一誤って過度に回転させてしまっても、蛇行調整ローラ（１１０）が急に大きく動くこともなく、揚送ベルト（２５）の損傷を防止することができる。
【００２３】
前記減速手段（１３４，１５１）を兼ねる動力伝達機構としては、例えば前記［４］に記載のものが考えられる。すなわち、前記調整用ネジ（１３３）の一端側にウォーム歯車（１３４）を固結し、該ウォーム歯車（１３４）に噛合するウォーム（１５１）に固結した回転軸（１５２）の一端側に、該回転軸（１５２）を回転操作するための操作ツマミ（１５３）を固結して、前記操作部（１５０）とすれば良い。このような構成によれば、部品点数の増加もなるべく防止でき、簡易に製造することができてコストも抑えることができる。
【００２４】
また、前記蛇行調整ローラ（１１０）を傾斜調整可能に支持する前記ローラ支持部（１１２）の具体的な構成としては、例えば前記［５］に記載のものが考えられる。すなわち、ローラ支持部（１１２）は、蛇行調整ローラ（１１０）を回転可能に軸支するローラ軸（１１１）と、該ローラ軸（１１１）の一端を支持する第１支持部（１２０）と、ローラ軸（１１１）の他端を支持する第２支持部（１３０）とを有し、第１支持部（１２０）は、ローラ軸（１１１）の一端を、ここを支点にローラ軸（１１１）が上下に傾動可能に支持するものである。例えば、ローラ軸（１１１）の一端側に、該ローラ軸（１１１）と直交する方向に貫通する軸孔を設け、ここに軸孔より細径の支軸を挿通してローラ軸（１１１）を遊びがある状態で軸支する等である。
【００２５】
第２支持部（１３０）は、立設フレーム（２２）に固定された支持枠（１３１）と、移動ブロック（１３２）と、一端に操作ツマミ（１５３）を固結した調整用ネジ（１３３）と、一端に操作ハンドル（１３６）を固結した締結用ネジ（１３５）とを有し、移動ブロック（１３２）に、所定方向に貫通した第１ネジ孔（１３２ａ）と、この第１ネジ孔（１３２ａ）とねじれの位置で直交するように貫通した第２ネジ孔（１３２ｂ）とを形成する。
【００２６】
支持枠（１３１）は、調整用ネジ支持部（１３１ｂ）と、側壁部（１３１ａ）と、この側壁部（１３１ａ）に穿設された長孔（１３１ｃ）とから成り、側壁部（１３１ａ）はその表側が、ローラ軸（１１１）の他端側において該ローラ軸（１１１）の周面と当接するように立設されている。調整用ネジ支持部（１３１ｂ）は、移動ブロック（１３２）の第２ネジ孔（１３２ｂ）の存する一側面が側壁部（１３１ａ）の裏側に当接する状態で、移動ブロック（１３２）の第１ネジ孔（１３２ａ）に螺合した調整用ネジ（１３３）をその軸方向を縦にして一定箇所で回転可能に支持する。従って、調整用ネジ（１３３）を回すと移動ブロック（１３２）が上下動することになる。
【００２７】
側壁部（１３１ａ）の長孔（１３１ｃ）は、調整用ネジ（１３３）の回転に応じて、移動ブロック（１３２）がネジ送りされて上下動する際にできる第２ネジ孔（１３２ｂ）の移動軌跡に対応するように縦長に穿設されている。ローラ軸（１１１）の他端部には、側壁部（１３１ａ）の表側壁面に対して垂直方向にローラ軸（１１１）を貫通する挿通孔（１１１ｃ）が、先の支点を中心に上下に傾斜した際に側壁部（１３１ａ）の長孔（１３１ｃ）と連通し得るように横長に形成されている。
【００２８】
締結用ネジ（１３５）は、ローラ軸（１１１）の他端部に形成された挿通孔（１１１ｃ）および側壁部（１３１ａ）の長孔（１３１ｃ）を通って移動ブロック（１３２）の第２ネジ孔（１３２ｂ）に螺合する。締結用ネジ（１３５）を締めて、移動ブロック（１３２）と締結用ネジ（１３５）の操作ハンドル（１３６）との間にローラ軸（１１１）と側壁部（１３１ａ）とを挾持すると、移動ブロック（１３２）の上下動を抑止した止着状態となる。一方、締結用ネジ（１３５）を緩めると、調整用ネジ（１３３）を回すことで移動ブロック（１３２）が上下動が可能な緩状態となる。
【００２９】
また、前記［６］に記載したように、蛇行調整ローラ（１１０）を、中央から左右両端に向かって外径が次第に小さくなる樽型に形成すれば、蛇行調整ローラ（１１０）に圧接する揚送ベルト（２５）は湾曲した状態に変形するので、なるべく蛇行調整ローラ（１１０）を揚送ベルト（２５）の中央が通るようになる。それにより、蛇行調整ローラ（１１０）の前述した傾斜調整と相俟ってより確実に揚送ベルト（２５）の蛇行調整を行うことができる。
【００３０】
また、前記［７］に記載したように、蛇行調整ローラ（１１０）を、揚送ベルト（２５）を外側から押圧するセット状態と、傾斜の支点となる側の端部を中心に手前に回転した解除状態とに変位可能に支持すれば、締結用ネジ（１３５）を外すだけで、蛇行調整ローラ（１１０）を揚送ベルト（２５）から離した解除状態にすることができ、揚送ベルト（２５）の交換が容易となる。
なお、前述したような蛇行調整機構（１００）は、前記［８］に記載したように、遊技球揚送研磨装置（１０）に装備させることで、使い勝手の良い遊技球揚送研磨装置（１０）を実現することができる。
【００３１】
【発明の実施の形態】
以下、図面に基づき本発明を代表する各種実施の形態を説明する。
図１〜図１４は、本発明の第１実施の形態を示している。
図１４に示すように、本実施の形態に係る遊技球揚送研磨装置１０は、複数の遊技機２を並設して成る遊技機島１の中央に、遊技機島１内の下段から上段にかけて立設されている。ここで遊技機２は、ハンドルの回転操作により遊技盤上に遊技球（パチンコ球）を打ち出し、打球の入賞を競い楽しむパチンコ機である。なお、各遊技機２間には、遊技球を貸し出す遊技媒体貸出機が介装されている。
【００３２】
遊技球揚送研磨装置１０は、各遊技機２で使用された後に回収樋３により遊技機島１の下段の底部付近に配設した下部タンク４に回収された遊技球（パチンコ球）を取り込んで、遊技機島１の上段に配設された上部タンク５まで揚送しながら研磨するための装置である。
【００３３】
上部タンク５には、遊技機２に遊技球を補給するための補給樋６が連結されており、遊技機島１の両端部へ向けて下向きに傾斜するように延設されている。補給樋６は、遊技機島１の両端部で遊技機島１の下段へ向けてほぼ真下へ下降し、回収樋３の端部と連結されている。補給樋６には、各遊技機２と個別に連通し、補給樋６内を流下する遊技球を遊技機２に補給するためのジャバラが取り付けられている。
【００３４】
図１０は、遊技球揚送研磨装置１０の側面を、図１１は、遊技球揚送研磨装置１０の背面を、図１３は、遊技球揚送研磨装置１０の拡大した横断面を、それぞれ示している。図示するように、遊技球揚送研磨装置１０は、本体部２０と、ガイドフレーム部５０とから構成されている。図１２は、遊技球揚送研磨装置１０の本体部２０からガイドフレーム部５０を開いた状態を示す斜視図である。
【００３５】
図１０に示すように、本体部２０は、ベース部材２１に略垂直に起立して設けられた上下方向に長尺な立設フレーム２２と、立設フレーム２２の下端に回転可能かつ水平に軸支した駆動ローラ（下部ローラ）２３と、立設フレーム２２の上端に回転可能かつ水平に軸支した従動ローラ（上部ローラ）２４と、駆動ローラ２３および従動ローラ２４の間に掛け渡した無端環状の揚送ベルト２５とを備えている。駆動ローラ２３は、モータ２３ａ（図１１参照）によって回転駆動される。
【００３６】
従動ローラ２４と駆動ローラ２３の間の数箇所には、所定間隔をあけてバックアップローラ２６が配置されている。バックアップローラ２６は、揚送ベルト２５の上昇面２５ａ（図１０参照）の裏面に接するように配置されている。また揚送ベルト２５は、張力調整機構２００によって所定の張力が付加され、さらに本発明の根幹を成す蛇行調整機構１００によって各ローラ２３，２４に対する蛇行が調整される。蛇行調整機構１００や張力調整機構２００について詳しくは後述する。
【００３７】
バックアップローラ２６および張力調整機構２００により、揚送ベルト２５はほぼ平坦面を維持しながら上昇するように設定されている。また、本体部２０の下端には、下部タンク４から遊技球を整列した状態で導入するための導入口３１が設けてあり、本体部２０の上端には、揚送した遊技球を上部タンク５に向けて排出する排出口３２が設けてある。
【００３８】
図１３に示すように、ガイドフレーム部５０は、揚送ベルト２５の上昇面２５ａの表（おもて）面と対面配置されるガイドレール５１と、これを内装し支持するガイドフレーム５２と、ガイドフレーム５２に内装したガイドレール５１を揚送ベルト２５の側に付勢するコイルバネ５３とから構成されている。
【００３９】
ガイドフレーム５２は、本体部２０の幅と同様の幅を有する平面部と、この平面部の左右両側縁から揚送ベルト２５の側に延設した側面部とを有する断面略コの字状の部材であり、その両側面の端部近傍内側に対向して縦方向に延びる研磨布案内溝５４と、研磨布案内溝５４よりもガイドフレーム５２の平面部の側に位置し、かつ両側面の内側で対向して縦方向に延びるガイドレール用溝５５とが形成されている。
【００４０】
ガイドレール５１は、ガイドレール用溝５５によってその両端が支持される。多数のコイルバネ５３は、ガイドレール５１の背面側とガイドフレーム５２の平面部の間に圧縮した状態で配されている。各コイルバネ５３の一端側は、ガイドレール５１の背面側にある取付部５１ａに嵌合させた状態で取り付けられており、各コイルバネ５３の他端側は、ガイドフレーム５２の平面部の内壁に弾接している。ガイドレール５１は、弾性を備えたウレタンゴム等で成形されており、揚送ベルト２５と対向する側の表面には、断面半円凹状で上下に延びる複数の球案内路が複数並列に形成されている。
【００４１】
ガイドレール５１の前面側には、ベルト状の研磨布９０が張設される。図１０に示すように、研磨布９０は、ガイドフレーム部５０の背面下部に取り付けられている固定クランプ９１によってその一端側が固定され、ガイドフレーム部５０の下端を回り、ガイドレール５１の前面に沿ってその下端から上端まで掛け渡され、ガイドフレーム部５０の上端を回って再びガイドフレーム部５０の背面に出没し、該背面に出没した端部が、ガイドフレーム部５０の背面上部に設けられた可動クランプ９２に挾持されて張設されるようになっている。
【００４２】
図１２に示すように、ガイドフレーム５２は、左右方向の一端が蝶番２７によって、立設フレーム２２に扉状に開閉自在に支持されている。蝶番２７は、上下に所定間隔をあけて遊技球揚送研磨装置１０の一外側面の数箇所に設けてある。ガイドフレーム５２の左右方向の他端側は、上下に所定間隔をあけて数箇所に設けた係止機構７０によって立設フレーム２２に係脱可能にロックされる。係止機構７０は、ロックした状態でガイドフレーム部５０を本体部２０の側に所定の張力で引っ張るように構成されている。
【００４３】
図１３に示すように、各係止機構７０の近傍であって立設フレーム２２の側壁内面には、隙間調整機構８０が取り付けてある。隙間調整機構８０の所定箇所に回動自在に保持されたナット状のツマミ部８２を回すことで、ツマミ部８２に嵌入されたボルト状のシャフト部８３が進退し、係止機構７０によって本体部２０の側に付勢されているガイドフレーム部５０と本体部２０との隙間を調整し得るようになっている。遊技球Ｐは、揚送ベルト２５の上昇面２５ａと、背面をガイドレール５１で支持された研磨布９０との間に挟持され、揚送ベルト２５の上昇に伴って自転し研磨されながら上方へ揚送される。
【００４４】
図１〜図９は、蛇行調整機構１００や張力調整機構２００を示している。蛇行調整機構１００と張力調整機構２００は、立設フレーム２２の下部において互いに近接する位置にまとめて配設されている。蛇行調整機構１００は、蛇行調整ローラ１１０を有し、張力調整機構２００は、テンションローラ２１０と、ガイドローラ２２０とを有する。
【００４５】
これらの各ローラ１１０，２１０，２２０は、駆動ローラ２３に近接する下から順に、ガイドローラ２２０、テンションローラ２１０、蛇行調整ローラ１１０と上下に並ぶように配設されている。また、各ローラ１１０，２１０，２２０は、それぞれ中央から左右両端に向かって外径が次第に小さくなる樽型に形成されている。
【００４６】
テンションローラ２１０は、揚送ベルト２５を内側から外側に突き出すように配置されている。蛇行調整ローラ１１０およびガイドローラ２２０は、揚送ベルト２５を外側から押圧するように配置されている。揚送ベルト２５は、これらテンションローラ２１０、蛇行調整ローラ１１０、ガイドローラ２２０によって表裏から交互に押圧される。
【００４７】
蛇行調整機構１００は、蛇行調整ローラ１１０と、該蛇行調整ローラ１１０を回転可能に支持するローラ支持部１１２とから成る。ここでローラ支持部１１２は、蛇行調整ローラ１１０を回転可能に軸支するローラ軸１１１と、ローラ軸１１１の左端部１１１ａを支持する第１支持部１２０と、ローラ軸１１１の右端部１１１ｂを支持する第２支持部１３０、それに操作部１５０により構成されている。
【００４８】
第１支持部１２０は、ローラ軸１１１の左端部１１１ａを縦に貫通する軸孔に挿通された支軸ボルト１２１の両端を、立設フレーム２２に固設した支持金具１２２に回動可能な状態で支持して成る。これによりローラ軸１１１は、第１支持部１２０を支点として前後に水平方向に回転可能になっている。さらに、ローラ軸１１１の左端部１１１ａに貫通する軸孔の内径は、支軸ボルト１２１の外径より多少大きめに設定され、ここでの遊びにより、ローラ軸１１１は、第１支持部１２０を支点として上下にも傾動可能になっている。
【００４９】
第２支持部１３０は、立設フレーム２２に固定された支持枠１３１と、該支持枠１３１内にて所定範囲で移動可能に配される移動ブロック１３２と、上端にウォーム歯車１３４が固結された調整用ネジ１３３と、前端に操作ハンドル１３６が固結された締結用ネジ１３５とを有している。図９に示すように、移動ブロック１３２には、縦に貫通した第１ネジ孔１３２ａと、この第１ネジ孔１３２ａとねじれの位置で直交するように貫通した第２ネジ孔１３２ｂとが形成されている。
【００５０】
図８に示すように、支持枠１３１は断面コの字状に形成されており、その立面を成す側壁部１３１ａと、側壁部１３１ａの上下端から水平に屈曲した面から成る調整用ネジ支持部１３１ｂと、側壁部１３１ａに開設された縦長の長孔１３１ｃとから成る。側壁部１３１ａは、揚送ベルト２５を押圧する位置に蛇行調整ローラ１１０をセットした際に、側壁部１３１ａの表側壁面が、ローラ軸１１１の右端部１１１ｂの周面と当接する位置に立設されている。
【００５１】
調整用ネジ支持部１３１ｂは、移動ブロック１３２の第１ネジ孔１３２ａに螺合した調整用ネジ１３３を、移動ブロック１３２の第２ネジ孔１３２ｂの存する側面が側壁部１３１ａの裏側に当接する位置で、軸方向が縦になる位置にて回転可能に支持している。
【００５２】
すなわち、調整用ネジ支持部１３１ｂには、対向する面の所定箇所に調整用ネジ１３３を挿通するための孔があいており、この孔に調整用ネジ１３３を上から挿通し、支持枠１３１に挟着されないようにわずかの余裕をもって下端をダブルナット１４０で締結してある。これにより調整用ネジ支持部１３１ｂは、調整用ネジ１３３を上下動不能かつ回転可能に保持することになる。
【００５３】
支持枠１３１に穿設した長孔１３１ｃは、調整用ネジ１３３の回転に応じて移動ブロック１３２がネジ送りされて上下動する際の第２ネジ孔１３２ｂの移動軌跡に対応するように縦長に形成されている。また、ローラ軸１１１の右端部１１１ｂには、支持枠１３１の表側壁面に対して垂直方向に貫通し、かつ軸方向に横長の挿通孔１１１ｃが穿設されている。挿通孔１１１ｃは、第１支持部１２０を支点としてローラ軸１１１を上下に傾斜させた際に、側壁部１３１ａの長孔１３１ｃと常時連通し得るように横長に形成されている。
【００５４】
締結用ネジ１３５は、ローラ軸１１１の右端部１１１ｂに形成された挿通孔１１１ｃおよび側壁部１３１ａの長孔１３１ｃを通して、移動ブロック１３２の第２ネジ孔１３２ｂに螺合される。操作ハンドル１３６を操作し、移動ブロック１３２との間にローラ軸１１１および側壁部１３１ａを止着する状態まで締結用ネジ１３５を締め込むと、移動ブロック１３２の上下動を抑止した止着状態になる。一方、止着状態から約９０度ほど操作ハンドル１３６を回して締結用ネジ１３５を緩めると、移動ブロック１３２が上下方向に移動可能な緩状態に切り替わる。
【００５５】
以上のようなローラ支持部１１２により、上下に延びる調整用ネジ１３３の回転により、蛇行調整ローラ１１０のローラ軸１１１の左端部１１１ａを支点として右端部１１１ｂを上下に傾斜調整可能であるが、調整用ネジ１３３を回転させる操作力を外部より入力する操作部１５０は、調整用ネジ１３３の軸方向と任意の角度で交わる軸線上に配置されている。
【００５６】
図２に示すように、操作部１５０は、前記調整用ネジ１３３の上端にあるウォーム歯車１３４に噛合するウォーム１５１と、該ウォーム１５１が固結してある回転軸１５２と、該回転軸１５２の一端に固結されて回転軸１５２を回転操作するための操作ツマミ１５３とを有して成る。
【００５７】
操作部１５０の回転軸１５２は、前記調整用ネジ１３３の軸方向に対して略直角に交わり、かつ前記揚送ベルト２５の上昇面２５ａと平行な面に対して略垂直となる状態に配置されている。図１〜図４に示すように、回転軸１５２の一端は、立設フレーム２２からガイドフレーム部５０に向かう方向に延出しており、該回転軸１５２の一端にある操作ツマミ１５３は、ちょうど回転軸１５２の脇で遊技球揚送研磨装置１０の正面側を向く状態となる。
【００５８】
また、操作部１５０のウォーム１５１と、該ウォーム１５１が噛合する前記ウォーム歯車１３４は、ウォーム１５１における回転速度を減少させて調整用ネジ１３３に伝達する減速手段を成している。このような減速手段は、ウォーム歯車１３４とウォーム１５１の２つの歯車から構成されている。
【００５９】
図４および図５に示すように、張力調整機構２００において、テンションローラ２１０を回転可能かつ水平に支持する支軸２１１は、立設フレーム２２に突設されたボルト２１２を通すための孔が両端に開設されている。ボルト２１２には、その外周にコイルバネ２１３が遊嵌された後、支軸２１１に開設された孔が通され、その上からナット２１４が螺合される。テンションローラ２１０は、ナット２１４を締緩することで前後に移動調整され、揚送ベルト２５にかかる張力の増減が可能になっている。
【００６０】
また、ガイドローラ２２０は、支軸２２１の左端が前記第１支持部１２０と同様の構造を持つ支持機構２２２で支持されている。支軸２２１の右端には、前記ローラ軸１１１と同様の長孔２２３が穿設されている。支軸２２１は、立設フレーム２２に設けた支持台２２４に、先の長孔２２３を挿通したネジ２２５で止着される。なお、蛇行調整ローラ１１０、ローラ軸１１１、第１支持部１２０は、ガイドローラ２２０、支軸２２１、支持機構２２２と共通部品で構成されている。
【００６１】
次に、第１実施の形態の作用を説明する。
遊技機島１に遊技球揚送研磨装置１０を設置した後、モータ２３ａによって駆動ローラ２３を回転駆動すると、ガイドレール５１と対向する側の面が上昇面２５ａとなって揚送ベルト２５が周回移動する。この状態で、遊技球が導入口３１から整列された状態で流入すると、ガイドレール５１に取り付けてある研磨布９０と揚送ベルト２５の上昇面２５ａとで遊技球が挾持され、揚送ベルト２５の移動に伴って上方へ揚送される。挾持された遊技球は、自転しながら上方へ揚送される過程で研磨布９０によって研磨される。
【００６２】
このような遊技球揚送研磨装置１０を長時間稼働すると、揚送ベルト２５が汚れたり破損したりして交換を要する場合があるが、この揚送ベルト２５を交換する際には、蛇行調整機構１００の操作ハンドル１３６を回して、締結用ネジ１３５を緩めて抜き取る。
【００６３】
これにより、第１支持部１２０を支点に蛇行調整ローラ１１０が手前に回転可能となり、蛇行調整ローラ１１０を、揚送ベルト２５を押圧するセット状態から押圧しない解除状態に容易に変位させることができる。同様に、張力調整機構２００のネジ２２５を緩めて外すと、支持機構２２２を支点としてガイドローラ２２０が手前に回転可能となり、揚送ベルト２５を押圧しない解除状態にガイドローラ２２０を容易に変位させることができる。
【００６４】
遊技球揚送研磨装置１０の日常の保守に関して、揚送ベルト２５の偏摩耗によって生じる蛇行は、蛇行調整ローラ１１０の傾斜を変えて補正するように調整できる。もちろん、新たに揚送ベルト２５をセットした時に、立設フレーム２２や駆動ローラ２３の中心から元々ずれた状態で揚送ベルト２５を掛け渡してしまったような場合も、かかる蛇行を調整することができる。蛇行調整ローラ１１０は、いわゆる樽型を成しているので、蛇行調整ローラ１１０を傾斜させることで揚送ベルト２５との当たりが変化し、張力をベルトの左右に不均等に与えることができる。
【００６５】
蛇行調整を行う際には、先ず蛇行調整機構１００の操作ハンドル１３６を、略９０度ほど反時計方向に回転操作して締結用ネジ１３５を緩めて、移動ブロック１３２が上下方向に移動可能な緩状態に切り替える。次に操作部１５０の操作ツマミ１５３を回すことにより、蛇行調整ローラ１１０のローラ軸１１１の左端部１１１ａを支点として、右端部１１１ｂを上下に傾動させて、蛇行調整ローラ１１０全体の傾斜を調整する。
【００６６】
ここで右端部１１１ｂの上下動は、移動ブロック１３２に相対的に移動可能に螺合している調整用ネジ１３３の回転によるものであるが、この上下に延びる調整用ネジ１３３を回転させる操作力を外部より入力する前記操作ツマミ１５３は、調整用ネジ１３３の軸方向と略直角に交わる軸線上に配置されている。そのため、手動により操作する操作ツマミ１５３は、調整用ネジ１３３の軸線上で上下を向くような操作しづらい限定された位置ではなく、遊技球揚送研磨装置１０の正面あるいは背面に向かって延びる操作し易い位置に配置され、容易に操作することができる。
【００６７】
操作部１５０の具体的な配置位置としては、本実施の形態では図１〜図８に示したように、操作ツマミ１５３を、前記調整用ネジ１３３の軸方向に対して略直角に交わると共に、前記揚送ベルト２５の上昇面２５ａと平行な面に対して略垂直となる軸線上に配置したので、遊技球揚送研磨装置１０を設置した遊技機島１において、島正面あるいは背面に向かって対向する位置となる。従って、島正面に設ける点検口等から操作ツマミ１５３を真っ正面に覗くことができ、容易に掴んで回転操作することができる。
【００６８】
操作ツマミ１５３を一方向に回すと、その回転力は操作ツマミ１５３と同軸のウォーム１５１を介して、該ウォーム１５１が回転可能に噛合するウォーム歯車１３４に伝達される。かかるウォーム歯車１３４と同軸の調整用ネジ１３３の減速回転に伴って、移動ブロック１３２がネジ送りされて下方に移動する。これにより、蛇行調整ローラ１１０は、左端の第１支持部１２０を支点に回転し、右端が下方に向かうように傾斜を変える。
【００６９】
一方、操作ツマミ１５３を逆方向に回すと、その回転力は前述した場合と同様にウォーム１５１およびウォーム歯車１３４を介して今度は逆方向としてウォーム歯車１３４に伝達され、調整用ネジ１３３の減速回転に伴って、移動ブロック１３２がネジ送りされて今度は上方に移動する。これにより、蛇行調整ローラ１１０は、左端の第１支持部１２０を支点に回転し、右端が上方に向かうように傾斜を変える。
【００７０】
以上のような蛇行調整ローラ１１０の傾斜調整により、揚送ベルト２５に対する蛇行調整ローラ１１０の相対的な位置を変化させることで、揚送ベルト２５の中心が各ローラ２３，２４の中心に一致するように蛇行を調整することができる。操作ツマミ１５３を回して、揚送ベルト２５の蛇行がないように蛇行調整ローラ１１０の傾斜を調整し終えると、操作ハンドル１３６を回して締結用ネジ１３５を締め、移動ブロック１３２が上下動できないようにロックする。
【００７１】
また、前述したような操作部１５０によれば、手動で操作ツマミ１５３を回す回転力は、ウォーム１５１およびウォーム歯車１３４から構成される減速手段を介して前記調整用ネジ１３３に伝達されるので、蛇行調整ローラ１１０の傾斜調整における微調整が可能となる。そのため、蛇行の調整操作に熟練を要することもなく、誰でも簡単に細かな調整が可能となり、また操作部１５０を万一誤って過度に回転させてしまっても、蛇行調整ローラ１１０が急に大きく動くこともなく、揚送ベルト２５の損傷を防止することができる。
【００７２】
また、蛇行調整ローラ１１０は、いわゆる樽型を成しているので、蛇行調整ローラ１１０に圧接する搬送ベルトは湾曲した状態に変形するため、なるべく蛇行調整ローラ１１０を搬送ベルトの中央が通るようになる。それにより、蛇行調整ローラ１１０の前述した傾斜調整と相俟ってより確実に揚送ベルト２５の蛇行調整を行うことができる。
【００７３】
さらに、蛇行調整ローラ１１０の一端側を支点としてローラ軸１１１の傾斜を調整するので、両端を位置調整させるような調整機構を持つ場合に比べて構造が簡略化される。なお、長時間の使用により揚送ベルト２５が伸びて張力が低下したような場合には、蛇行調整機構１００のボルト２１２を調整して、テンションローラ２１０を手前に移動させ、張力を増加させると良い。
【００７４】
図１５は、本発明の第２実施の形態を示している。
本実施の形態は、操作部１５０Ａの操作ツマミ１５３を、前記調整用ネジ１３３（図２参照）の軸方向に対して略直角に交わるが、前記揚送ベルト２５の上昇面２５ａと平行に延びる軸線上に配置し、操作ツマミ１５３が遊技球揚送研磨装置１０の側方に向くようにしている。
【００７５】
図１６は、本発明の第３実施の形態を示している。
本実施の形態は、操作部１５０Ｂの操作ツマミ１５３を、前記調整用ネジ１３３（図２参照）の軸方向に対して略直角ではなく、斜め上方に延びるような任意の角度で交わる軸線上に配置している。このような斜めに交差するような配置は、前述したようなウォームではなく、例えば斜交かさ歯車等により容易に形成することができる。
【００７６】
以上のように、本発明の実施の形態を図面によって説明してきたが、具体的な構成は前述した実施の形態に限られるものではなく、本発明の要旨を逸脱しない範囲における変更や追加があっても本発明に含まれる。例えば、操作ツマミ１５３の配置は、前記調整用ネジ１３３（図２参照）の軸方向に対して略直角に交わる軸線上や、図１６に示した斜め上方に延びる軸線上に限られるものではなく、様々な任意の角度で交わる軸線上に配置することができる。
【００７７】
【発明の効果】
本発明に係る蛇行調整機構によれば、蛇行調整ローラを、揚送ベルトの途中の裏面に圧接する状態で配し、この蛇行調整ローラをローラ支持部により回転可能に支持し、ローラ支持部により、蛇行調整ローラの一端側を支点として他端側を上下に傾斜調整可能とし、上下に延びる調整用ネジの回転により、蛇行調整ローラの他端側を上下に傾斜調整することができる。
【００７８】
ここで調整用ネジを回転させる操作力を外部より入力する操作部を、調整用ネジの一端側に直接設けることはせず、操作部を調整用ネジの軸方向と任意の角度で交わる軸線上に配置するから、手動により操作する操作部を、調整用ネジの軸線上で上下を向くような操作しづらい限定された位置ではなく、遊技球揚送研磨装置の正面あるいは背面に向かって延びるような操作し易い位置に適宜設けることが可能となる。
【００７９】
また、前記操作部を、調整用ネジの軸方向に対して略直角に交わると共に、揚送ベルトの上昇面と平行な面に対して略垂直となる軸線上に配置すれば、遊技球揚送研磨装置を設置した遊技機島において、通常は島正面あるいは背面に向かって対向する位置となるので、島正面に設ける点検口等から操作部を真っ正面に覗いたり、容易に掴んで操作することができる。
【００８０】
さらにまた、前記操作部に入力される操作力を、減速手段を介して調整用ネジに伝達するように設定すれば、操作部における回転速度は減速手段により減少されて調整用ネジに伝達されるので、蛇行調整ローラの傾斜調整における微調整が可能となり、そのため調整操作に熟練を要することもなく誰でも簡単に細かな調整が可能となり、また操作部を万一誤って過度に回転させてしまっても、蛇行調整ローラが急に大きく動くこともなく、揚送ベルトの損傷を防止することができる。
【図面の簡単な説明】
【図１】本発明の第１実施の形態に係る遊技球揚送研磨装置が備える蛇行調整機構を示す斜視図である。
【図２】本発明の第１実施の形態に係る蛇行調整機構の要部を拡大して示す斜視図である。
【図３】本発明の第１実施の形態に係る遊技球揚送研磨装置の下部を拡大して示す背面図である。
【図４】本発明の第１実施の形態に係る遊技球揚送研磨装置の下部を拡大して示す側面図（一部破断して示す）である。
【図５】本発明の第１実施の形態に係る遊技球揚送研磨装置の下部を拡大して示す正面面図（一部破断して示す）である。
【図６】本発明の第１実施の形態に係る遊技球揚送研磨装置の下部に配置された蛇行調整機構の第２支持部を拡大して示す正面図である。
【図７】図６のＡ−Ａ線断面図である。
【図８】図６のＢ−Ｂ線断面図である。
【図９】第２支持部の有する移動ブロックを示す斜視図である。
【図１０】本発明の第１実施の形態に係る遊技球揚送研磨装置を示す側面図である。
【図１１】本発明の第１実施の形態に係る遊技球揚送研磨装置を示す背面図である。
【図１２】本発明の第１実施の形態に係る遊技球揚送研磨装置の本体部からガイドフレーム部を開いた状態を示す斜視図である。
【図１３】本発明の第１実施の形態に係る遊技球揚送研磨装置を拡大して示す横断面図である。
【図１４】本発明の第１実施の形態に係る遊技球揚送研磨装置を設置した遊技機島を示す正面図である。
【図１５】本発明の第２実施の形態に係る蛇行調整機構を装備した遊技球揚送研磨装置の下部を拡大して示す斜視図である。
【図１６】本発明の第３実施の形態に係る蛇行調整機構を装備した遊技球揚送研磨装置の下部を拡大して示す斜視図である。
【符号の説明】
１…遊技機島
２…パチンコ機
３…回収樋
４…下部タンク
５…上部タンク
６…補給樋
１０…遊技球揚送研磨装置
２０…本体部
２１…ベース部材
２２…立設フレーム
２３…駆動ローラ
２４…従動ローラ
２５…揚送ベルト
２６…バックアップローラ
２７…蝶番
３１…導入口
３２…排出口
５０…ガイドフレーム部
５１…ガイドレール
５２…ガイドフレーム
５３…コイルバネ
５４…研磨布案内溝
５５…ガイドレール用溝
７０…係止機構
８０…隙間調整機構
８２…ツマミ部
８３…シャフト部
９０…研磨布
９１…固定クランプ
９２…可動クランプ
９３…スライド板
９４…バネ
１００…蛇行調整機構
１１０…蛇行調整ローラ
１１１…ローラ軸
１１１ａ…左端部
１１１ｂ…右端部
１１１ｃ…挿通孔
１１２…ローラ支持部
１２０…第１支持部
１２１…支軸ボルト
１３０…第２支持部
１３１…支持枠
１３１ａ…側壁部
１３１ｂ…調整用ネジ支持部
１３１ｃ…長孔
１３２…移動ブロック
１３２ａ…第１ネジ孔
１３２ｂ…第２ネジ孔
１３３…調整用ネジ
１３４…ウォーム歯車
１３５…締結用ネジ
１３６…操作ハンドル
１４０…ダブルナット
１５０…操作部
１５１…ウォーム
１５２…回転軸
１５３…操作ツマミ
２００…張力調整機構
２１０…テンションローラ
２１１…支軸
２１２…ボルト
２１３…コイルバネ
２１４…ナット
２２０…ガイドローラ
２２１…支軸
２２２…支持機構
２２３…長孔
２２４…支持台
２２５…ネジ
【図１】
2005021193.tif 000003
【図２】
2005021193.tif 000004
【図３】
2005021193.tif 000005
【図４】
2005021193.tif 000006
【図５】
2005021193.tif 000007
【図６】
2005021193.tif 000008
【図７】
2005021193.tif 000009
【図８】
2005021193.tif 000010
【図９】
2005021193.tif 000011
【図１０】
2005021193.tif 000012
【図１１】
2005021193.tif 000013
【図１２】
2005021193.tif 000014
【図１３】
2005021193.tif 000015
【図１４】
2005021193.tif 000016
【図１５】
2005021193.tif 000017
【図１６】
2005021193.tif 000018